(57)【要約】【課題】  方立本体の見込み寸法を小さくしつつも、室内の空間効率を下げず、且つ見栄えもよい方立を提供する。【解決手段】  木製の方立本体３２と、方立本体３２を補強するために方立本体３２の長手方向に沿って方立本体３２に取り付けられた補強板３３とを具備する複合方立３０において、補強板３３は、方立本体３２の長手方向の一部分のみに取り付けられていることを特徴とする。【選択図】        図２
2005200840.tif 000002
【特許請求の範囲】
【請求項１】
木製の方立本体と、該方立本体を補強するために方立本体の長手方向に沿って方立本体に取り付けられた補強板とを具備する複合方立において、
前記補強板は、方立本体の長手方向の一部分のみに取り付けられていることを特徴とする複合方立。
【請求項２】
前記補強板は、方立本体の長手方向の上側部分において所定長さに亘って取り付けられていることを特徴とする請求項１記載の複合方立。
【請求項３】
前記方立本体は、設置する建築物の少なくとも２フロア分以上の長さを有しており、
前記補強板は、方立本体の下側１フロアに該当する部位よりも上側に取り付けられることを特徴とする請求項２記載の複合方立。
【請求項４】
前記方立本体には、室内側に向けて開口して補強板の室外側端部が挿入可能な装着溝と、該装着溝が形成されている部位において方立本体の幅方向に貫通してドリフトピンが挿入可能な貫通穴とが形成され、
前記補強板の室外側端部には、前記装着溝に装着したときに前記貫通穴と連通するような位置に、ドリフトピンを挿入可能な固定穴が形成され、
該補強板の室外側端部が方立本体の装着溝内に挿入されると共に、方立本体を幅方向に貫通するドリフトピンが補強板の固定穴と方立本体の貫通穴とに連通するように挿入されて、補強板が方立本体に固定され、
該ドリフトピンの端部を隠蔽するための化粧板が方立本体の側面に取り付けられていることを特徴とする請求項１〜請求項３のうちのいずれか１項記載の複合方立。
【請求項５】
前記補強板はガラス板であって、方立本体の両側面に取り付けられていることを特徴とする請求項１〜請求項３のうちのいずれか１項記載の複合方立。
【請求項６】
前記補強板の上端部には、建築物の躯体に設けられたアンカーに接続するための取付金具が設けられていることを特徴とする請求項１〜請求項５のうちのいずれか１項に記載の複合方立。
【請求項７】
請求項１〜請求項６のうちのいずれか１項に記載された複合方立を建築物の躯体に取り付けることによって構成されるカーテンウォール。
【請求項８】
前記方立本体の下端部は、建築物の躯体に固定されていることを特徴とする請求項７記載のカーテンウォール。
【発明の詳細な説明】
【技術分野】
【０００１】
本発明は、カーテンウォールを構成する方立およびこの方立を用いたカーテンウォールに関する。
【背景技術】
【０００２】
建築物の壁面に設けられるカーテンウォールは、縦桟としての方立と横桟としての無目とによって形成された各枠内に、ガラス板等のパネル板が取り付けられて形成されている。
かかるカーテンウォールを形成する方立は、従来から風雨に晒されても錆等が発生し難いアルミ製が多く用いられ、このアルミ製方立の裏面側は室内にも露出している。
しかし、アルミ等の金属は熱の良導体であり、アルミ製方立等の金属部品を介して室外に熱が伝熱され易い。このため、冬季においては、方立や無目等が冷却され、方立室内側に露出している露出部分に結露が発生し易く、暖房費等の空調費用の無駄も多い。
【０００３】
このような従来のアルミ製方立の有する問題点を解決するために、木製の方立を採用したカーテンウォールがある（例えば、特許文献１参照）。
このように方立を木製にしたことにより、木は低熱伝導率のため、外気の熱伝導を遮断して方立の結露を防止することができる。また、室内側に木製の方立が露出することによって、室内に木の有する温かい雰囲気を付与することができる。
【０００４】
上述してきたような方立の側面の概略図を図１１に示す。ここでは、室内方向に向けて吹く、矢印Ｂに示される風をカーテンウォール１０全体が受けたところを示している。この場合には、方立１１が室内側へのたわみを生じて図の破線に示すような変形を生じる。
このように、カーテンウォール１０が風を受けた場合の方立１１のたわみによる変形を最小限にとどめるべく、方立１１の室内側へ突出する寸法である見込み寸法Ｈについては、特に集成材等を用いた木製の方立にあっては、金属製の方立よりも大きい寸法を確保しなくてはならなかった。
しかし、方立ての見込み寸法が大きくなると、その分室内の寸法が小さくなるために室内の空間効率が悪くなり、見栄えも悪い。
そこで、方立の材質として木を採用した場合に、見込み寸法をなるべく小さくするために、予め金属製のプレートを建築物の躯体の開口部の上下間にわたすように設け、木製の方立本体をこのプレートに取り付ける構成が知られている（例えば、特許文献２参照）。このように方立本体の室内側にプレートが設けられていることで方立の強度が増し、方立本体の見込み寸法を小さくすることができる。
【０００５】
【特許文献１】特開平８−３３８０９５号公報
【特許文献２】特開２００３−９６９５８号公報
【発明の開示】
【発明が解決しようとする課題】
【０００６】
金属製のプレートを方立本体の室内側に設けることにより、方立本体自体の見込み寸法は小さくできる。しかし、この構成では、金属製のプレートが室内側に突出することとなるので、結局のところ、突出するプレートの分だけ室内の寸法が小さくなって室内の空間効率が悪くなり、また金属板が人目について見栄えも悪いという課題がある。
【０００７】
そこで、本発明の目的は、方立本体の見込み寸法を小さくしつつも、室内の空間効率を下げず、且つ見栄えもよい方立を提供することにある。
【課題を解決するための手段】
【０００８】
本発明にかかる複合方立によれば、木製の方立本体と、該方立本体を補強するために方立本体の長手方向に沿って方立本体に取り付けられた補強板とを具備する複合方立において、前記補強板は、方立本体の長手方向の一部分のみに取り付けられていることを特徴としている。
この構成を採用することによって、木製の方立本体に部分的に補強板が取り付けられて補強されるので、方立全体の強度は方立本体の見込み幅を小さくできる程度に確保され、しかも補強板が設けられていない箇所では室内空間が狭くなることもない。
【０００９】
また、前記補強板は、方立本体の長手方向の上側部分において所定長さに亘って取り付けられていることを特徴としている。
この構成を採用することによって、人が普段行き来する下側には補強板がなく、室内空間を広く取ることができ、且つ人目につきにくい上側部分に補強板が取り付けられるので、補強板により見栄えが悪くなるようなこともない。
【００１０】
また、前記方立本体は、設置する建築物の少なくとも２フロア分以上の長さを有しており、前記補強板は、方立本体の下側１フロア分よりも上側に取り付けられることを特徴としている。
この構成によれば、少なくとも２フロア以上吹き抜けのカーテンウォールを構築する際に、方立本体の下側１フロア分には補強板が取り付けられない。つまり、方立本体の２フロア目よりも上側において取り付けられた補強板により、方立本体全体の見込み寸法は小さくすることができる。さらに、実際に人が行き来する箇所である下側１フロア目に該当する部位には、補強板が存在しないので室内空間を広く確保することができ、しかも目の届きやすい範囲においては補強板が存在しないので室内空間の見栄えを良くすることもできる。
【００１１】
また、前記方立本体には、室内側に向けて開口して補強板の室外側端部が挿入可能な装着溝と、該装着溝が形成されている部位において方立本体の幅方向に貫通してドリフトピンが挿入可能な貫通穴とが形成され、前記補強板の室外側端部には、前記装着溝に装着したときに前記貫通穴と連通するような位置に、ドリフトピンを挿入可能な固定穴が形成され、該補強板の室外側端部が方立本体の装着溝内に挿入されると共に、方立本体を幅方向に貫通するドリフトピンが補強板の固定穴と方立本体の貫通穴とに連通するように挿入されて、補強板が方立本体に固定され、該ドリフトピンの端部を隠蔽するための化粧板が方立本体の側面に取り付けられていることを特徴としている。
この構成によれば、ドリフトピンによって補強板が確実に固定され、また化粧板によってドリフトピンの端部が露出しないようにできるので、見栄えを良くすることができる。
【００１２】
前記補強板はガラス板であって、方立本体の両側面に取り付けられていることを特徴としてもよい。
この構成によれば、ガラス板の強度によって方立本体の見込み寸法を小さくすることができ、しかもガラス自体の見た目の良さに加えて、ガラスを通して方立本体の側面が透けて見えるので見た目に優れた複合方立とすることができる。
【００１３】
また、前記補強板の上端部には、建築物の躯体に設けられたアンカーに接続するための取付金具が設けられていることを特徴としてもよい。
この構成を採用することによって、方立本体の部分に取付金具を取り付けるための加工を施す必要がないのでコスト削減に寄与する。また補強板に取付金具が設けられているので強度的にも優れた複合方立とすることができる。
【００１４】
また、本発明にかかるカーテンウォールによれば、請求項１〜請求項６のうちのいずれか１項に記載された複合方立を建築物の躯体に取り付けることによって構成される。
この構成を採用することによってカーテンウォールを構築する際に、方立本体に取り付けられた補強板により、方立本体全体の見込み寸法は小さくすることができ、補強板が設けられていない箇所では室内空間が狭くなることもないカーテンウォールを提供できる。
【００１５】
また、前記方立本体の下端部は、建築物の躯体に固定されていることを特徴としてもよい。
すなわち、従来からの金属製の方立としては、下端部がピン支持またはローラ支持されているものが殆どである。これは、室内側と室内側との間における温度差によって方立自身が変形するので、この変形を逃がすためにピン支持やローラ支持としていたためである。しかし、木製の方立を採用することで温度変化によって方立自身の変形が発生しにくい。そこで、下端部を固定端とすることができ、室外側からの風圧に対する強度を増すことができるので、方立本体の見込み寸法をさらに小さくすることができる。そして、室内空間をさらに広く取ることができるカーテンウォールを提供することができる。
【発明の効果】
【００１６】
本発明の複合方立およびカーテンウォールによれば、補強板を取り付けることで方立全体の強度を上げて、方立の見込み幅を小さくすることできる。しかも、この補強板を方立本体に部分的に取り付けるので、補強板が設けられていない箇所では室内空間が狭くなることもなく、広い室内空間を提供できる。
【発明を実施するための最良の形態】
【００１７】
方立本体の室内側に形成された装着溝内に金属製の補強板が挿入され、ドリフトピンによって固定されることで複合方立が形成される。補強板は、方立本体の下側１フロア分に該当する箇所には取り付けられず、方立本体の２フロア目から上側に取り付けられる。
なお、ドリフトピンの端部が露出する部位には化粧板が取り付けられ、ドリフトピンは隠蔽される。
【実施例１】
【００１８】
複合方立の第１実施例の概略説明図を図１に示す。図１の複合方立の全体構造を表した側面図を図２に示す。
複合方立３０は、カーテンウォール２０を構成する縦桟としての部材である。カーテンウォール２０は、複合方立３０と、無目（図示せず）とから構成される枠内にガラス板やパネル板等をはめ込んで、建築物の外壁として形成したものである。
本実施例のカーテンウォール２０は、少なくとも建築物の２フロア分以上の高さを吹き抜けで形成するように、設けられたものである。本実施例では、図２に示したカーテンウォール２０は、３フロア分を吹き抜けとなるように設けている。
【００１９】
複合方立３０は、木製の方立本体３２と補強板３３とから構成される。本実施例の方立本体３２は、図２に示すように建築物の３フロア分の長さを有している。
複合方立３０を構成する木製の方立本体３２としては、集成材が用いられることが一般的である。
【００２０】
本実施例における補強板３３は、鉄、ステンレス、アルミニウム等の金属製である。補強板３３の長さは、方立本体３２に部分的に取り付けられるように、方立本体３２よりも短い長さに形成されている。図２においては、補強板３３の長さは、方立本体３２の長さよりも少なくとも１フロア分だけ短くなるように形成されている。そして、方立本体３２の下側１フロアに該当する個所には補強板３３は取り付けられておらず、方立本体３２の下側１フロアより上側に補強板３３が取り付けられている。
また、補強板３３としては１枚板を用いるだけでなく、複数枚の板が組み合わせられた形状であってもよい。例えば、図３に示すように、補強板３３の室内側端部３３ａの両側面に、さらに２枚の金属製の第２補強板３４ａ，３４ｂを溶接やボルト等により取り付けるようにしてもよい。
【００２１】
方立本体３２への補強板３３の取り付け構造について、図４に基づいて説明する。
方立本体３２の幅方向の中央には、室内側に開口する装着溝３６が形成されている。装着溝３６の溝幅ｗ１は補強板３３の厚さｗ２よりやや大きめに形成されており、内部に補強板３３を挿入可能に設けられている。
装着溝３６は、方立本体３２の長手方向に補強板３３の長さと同じ長さだけ形成されている。すなわち、方立本体３２の下側１フロア分に該当する部位には、装着溝３６は形成されていない。
【００２２】
装着溝３６内に装着された補強板３３と方立本体３２とはドリフトピン３８によって固定される。
すなわち、補強板３３の装着溝３６内に挿入される部位の複数箇所には、ドリフトピン３８を挿入可能な固定穴４０が形成されている。一方、方立本体３２も補強板３３の固定穴４０に該当する位置において、幅方向に貫通するような貫通穴４１が設けられている。
ドリフトピン３８は、方立本体３２の貫通穴４１内に挿入されて、装着溝３６内に装着された補強板３３の固定穴４０を介して方立本体３２の幅方向を貫通するようにして打ち込まれ、方立本体３２と補強板３３との間を強固に固定する。
【００２３】
方立本体３２の両側面には、ドリフトピン３８の端部３８ａを隠すための化粧板４２を設けるとよい。すなわち、ドリフトピン３８を打ち込んだままの状態では、方立本体３２の側面に表れている貫通穴４１からドリフトピン３８の端部３８ａが見えてしまい、見た目に悪影響を与えるためである。
【００２４】
化粧板４２は、方立本体３２に取り付けたときに違和感が無いように、少なくとも表面に木の木目が現われた材質であればよい。
化粧板４２の例として、木を断面台形状に加工したものを採用することができる。かかる化粧板４２は、台形の底辺４２ａに接着剤を塗布し、方立本体３２の側面に貼り付けることで、ドリフトピン３８の端部３８ａを見た目も良好に隠すようにすることができる。
なお、化粧板４２の形状として、本明細書中では全て断面台形の木製の部材として図示しているが、化粧板４２としては、このような形状、材質に限られることはない。例えば、表面に木目調の印刷がなされた単なるシールであってもよい。
【００２５】
なお、上述したような方立本体３２への補強板３３の取り付けは、建築物の施工現場で行なうのではなく、方立を製造する工場において予め行なっておくことが好ましい。
【００２６】
続いて、複合方立の建築物への取り付け構造について図２，図５，図６に基づいて説明する。
まず、カーテンウォール２０は、そもそも建築物の躯体重量を支持するものではなく、室外側からの風圧に耐えうるだけの構造となっている。このため、一般的に方立の上端部は、建築物の躯体の重量がかからないような取り付け構造となっている。
本発明の複合方立およびカーテンウォールも当然、建築物の躯体の重量がかからないような構造となっている。
【００２７】
補強板３３の上部には、溶接やボルト等によって、建築物の躯体への取付金具としてのブラケット４４が取り付けられる。ブラケット４４には、ファスナー４６がボルトによって取り付けられる。ファスナー４６は、建築物の吹き抜けの上側の躯体１９内に埋め込まれたアンカー１００と、ブラケット４４との間を接続する金具である。
【００２８】
躯体１９から下方に露出するようにして埋設されているアンカー１００は、金属製の取付具であり、ファスナー４６とはボルトによって締付けられて固定される。
なお、ブラケット４４に形成されているボルトが貫通する長穴４９，４９は上下方向に延びる長穴として形成されているので、何らかの理由で躯体１９の荷重がファスナー４６にかかったとしても、ファスナー４６とブラケット４４を連結しているボルトが長穴４９，４９内で下方に移動するので、複合方立３０には躯体１９からの上下方向の荷重がかからないようにできる。
なお、ファスナー４６も、複合方立３０から水平方向への荷重（室内外方向、および方立幅方向）がかかった場合であっても、その荷重が躯体１９に伝わらないよう、アンカー１００との取付け面に長穴が形成された公知の構造となっている（図示せず）。
【００２９】
複合方立３０の下部の、躯体１８への取付構造について説明する。
複合方立３０の下部は、補強板３３が設けられていないので、方立本体３２のみの構造となっている。
建築物の吹き抜けの下側の躯体１８には、方立本体３２の下端部を収納して保持するブラケット４８が設けられている。ブラケット４８内に収納された方立本体３２はボルト５５によってブラケット４８に固定される。
ブラケット４８は、ベースプレート５０の上面に固定されている。ベースプレート５０は、金属製の板状の部材であって、床面Ｆの下方に存する躯体１８内に埋め込まれたアンカー１０２に固定されている。
【００３０】
なお、ベースプレート５０とブラケット４８の室内側の面４８ａとの間にはリブ５２が設けられ、室外側からの風圧にも耐えうるようにしている。かかるブラケット４８は、床下から床面Ｆを貫通して床上にも表れている。
また、本実施例のブラケット４８は、方立本体３２の室内側の面３２ａと幅方向の左右両側面３２ｂ、３２ｃとの３面を保持するような形状として形成されている。
【００３１】
なお、従来の金属製の方立では、下端部はピン支持やローラ支持等であって、完全に固定されてはいなかった。これは室内外の温度差による方立自体の変形を考慮したものである。
本発明では、方立自体は木製であるので室内外の温度差による方立自体の伸縮が金属の場合と比較して小さい。したがって、本実施例では、少なくとも室内側には水平移動せず、且つ水平方向を軸線として回転しないようにブラケット４８を設けることができた。
【００３２】
続いて、カーテンウォールの外壁面を複合方立に取り付ける取付構造について説明する。
本実施例では、外壁面としてガラス板６０を用いている。外壁面を形成するガラス板６０は、押縁部材６２と方立本体３２の屋外側との間に挟みこまれて固定される。
押縁部材６２としては、アルミニウム等の金属を用いることが一般的である。押縁部材６２の室内側面と方立本体３２との間には、方立本体３２と押縁部材６２との間を連結する連結部材６４が設けられている。
【００３３】
連結部材６４は、金属製の内側部６５と、金属製の外側部６６と、内側部６５と外側部６６とを連結するための合成樹脂製であって長手方向に延びる帯状の断熱部材６８とを備えている。
このように、断熱部材６８によって方立本体３２と押縁部材６２との間での熱伝導を遮断することによって、室内側の方立本体３２での結露等を防止できる。
【実施例２】
【００３４】
本発明の複合方立の第２実施例について、図７に基づいて説明する。
本実施例と、第１実施例との相違は補強板の材質とその取り付け構造にある。そこで、第１実施例と同一の構成については同一の符号を付し、その説明を省略する。
【００３５】
本実施例の補強板としては、２枚のガラス板７３，７３を用いている。２枚のガラス板７３は、それぞれ方立本体７２の側面にネジ７５等によって固定される。
ガラス板７３の見込み幅ｈは、方立本体７２よりも若干大きい幅となるように形成されており、ガラス板７３の室内側の端部は、方立本体７２の室内側の端部よりも室内側に突出して取り付けられている。
【００３６】
本実施例における補強板としてのガラス板７３は、方立本体７２の両側面の見込み方向全体に取り付けられているものであるが、方立本体７２の室内側の見込み方向の一部分のみに取り付けられているような構成でもよい。
【実施例３】
【００３７】
本発明の複合方立の第３実施例について、図８に基づいて説明する。
本実施例と、上記第１実施例および第２実施例との相違点は、補強板の形態およびその取付構造にある。また、第１実施例および第２実施例と同一の構成については同一の符号を付し、その説明を省略する。
補強板７７は、木製の方立本体７６の両側面７６ｂ、７６ｃ、室内側端面７６ａを覆う断面コの字状の保持部７８と、保持部７８から室内側に突出する突出部７９とから構成されている。突出部７９に、図５に示したようなブラケットや、あるいは後述するような連結ロッドが取り付けられる。
【００３８】
補強板７７は、保持部７８および突出部７９共に、鉄、ステンレス、アルミニウム等の金属製である。
保持部７８は、方立本体７６に対してボルト７９によって固定される。また、突出部７９は補強板７７の室内側の端面に溶接等により固定されている。
【実施例４】
【００３９】
複数本の複合方立同士を連結する連結ロッド８０を設けた実施例について、図９に基づいて説明する。ここでは、図３に示した複合方立に連結ロッド８０を設けた実施例を示すので、複合方立３０については図３に示したものと同一の符号を付し、説明を省略する。
連結ロッド８０は、複合方立３０を複数本立設してカーテンウォールを構築した際に、横方向に並ぶ複合方立３０同士を連結するために設けられている。連結ロッド８０としては、棒状のものに限定されることはなく金属製のワイヤ等であってもよい。
【００４０】
連結ロッド８０は、ベース部８４を介して各複合方立の補強板３３または３４に取り付けられる。図９に示した複合方立３０は、左右両側に存する複合方立３０と連結されるので、補強板３３，３４から左右両側に２本の連結ロッド８０が取り付けられる。
ベース部８４の補強板側の端部には、ネジ穴８６が形成されている。ベース部８４同士は、補強板３３、３４を貫通するネジ棒８７がネジ穴８６に螺合して互いに連結される。こうして連結ロッド８０は、補強板３３，３４に固定される。
このように、複数本の複合方立を横方向に連結することで、室外側からの風圧にさらに耐えうるような強度とすることができる。
【実施例５】
【００４１】
次に、複合方立の建築物の躯体への取付構造として、図２とは異なる構造の例を、図１０に基づいて説明する。
なお、ここで示す複合方立は、図３に示した構造の複合方立３０であるとし、上述してきた実施例と同一の構成については同一の符号を付し、説明を省略する。
【００４２】
複合方立３０の補強板３３の上端部には、溶接やボルト等によって、建築物の躯体への取付金具としてのブラケット９０が取り付けられる。
ブラケット９０には、ファスナー８２がボルト８３によって締付けられて固定される。したがって複合方立３０の上端部は、ボルト８３を中心に回動可能（つまりピン支持）となっている。
なお、ファスナー８２は、建築物の吹き抜けの上側の躯体１９内に埋め込まれたアンカー１０４と、ブラケット９０との間を接続する金具である。
【００４３】
なお、躯体１９の、複合方立３０よりも室内側には、天井Ｃよりも下方に突出するように金属製のアンカー９４が埋め込まれている。
このアンカー９４と、補強板３３との間は、筋かい９２によって連結されている。筋かい９２は、その両端部がボルト９５，９７を挿通可能に設けられており、一方の端部は補強板３３に設けられたブラケット９３にボルト９５によって取り付けられ、他方の端部はアンカー９４にボルト９７によって取り付けられている。
このように、補強板３３の上端部以外にも筋かい９２を設けたことによって、室外側からの風圧に対し、強固に耐えうることができる。
【００４４】
複合方立３０の下部は、補強板３３が設けられていないので、方立本体３２のみの構造となっている。
建築物の下側の躯体１８には、方立本体３２の下端部を収納して保持するブラケット９８が設けられている。ブラケット９８は、ベースプレート９９の上面に固定されている。ベースプレート９９は、金属製の板状の部材であって、床面Ｆの下方に存する躯体１８内に埋め込まれたアンカー１０６に固定されている。
【００４５】
なお、本実施例では、図２に示した実施例とは異なり、本実施例のブラケット９８が方立本体３２の周囲全面を囲むような形状として形成されている。本実施例では、このような構成とすることで、方立本体３２のたわみに対する強度をさらに高くすることができ、方立本体３２の見込み幅をさらに小さくすることができる。
なお、図１０では図示していないが、ブラケット９８と方立本体３２とはボルトによって固定されている。
【００４６】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００４７】
【図１】本発明にかかる複合方立の構成を示す説明図である。
【図２】複合方立を建築物に取り付けたところの側面図である。
【図３】図１の複合方立において補強板を複数枚にした例である。
【図４】図１の複合方立の組立分解図である。
【図５】複合方立の上端部を示す説明図である。
【図６】複合方立の下端部を示す説明図である。
【図７】複合方立の第２実施例を示す説明図である。
【図８】複合方立の第３実施例を示す説明図である。
【図９】複合方立の第４実施例を示す説明図である。
【図１０】複合方立の第５実施例を示す説明図である。
【図１１】方立の変形と見込み幅について説明する説明図である。
【符号の説明】
【００４８】
１８   躯体
１９   躯体
２０   カーテンウォール
３０，７０  複合方立
３２，７２，７６  方立本体
３３，７３，７７  補強板
３４   第２補強板
３６   装着溝
３８   ドリフトピン
４０   固定穴
４１   貫通穴
４２   化粧板
４４，４８，９０，９３，９８  ブラケット
４６，８２  ファスナー
４９   長穴
５０，９９  ベースプレート
５２，９３  リブ
５５，７９，８３，９５，９７  ボルト
６０   ガラス板
６２   押縁部材
６４   連結部材
６５   内側部
６６   外側部
６８   断熱部材
７５   ネジ
７８   保持部
７９   突出部
８０   連結ロッド
８４   ベース部
８６   ネジ穴
８７   ネジ棒
９４，１００，１０２，１０４，１０６  アンカー
Ｆ     床面
Ｃ     天井         
【図１】
2005200840.tif 000003
【図２】
2005200840.tif 000004
【図３】
2005200840.tif 000005
【図４】
2005200840.tif 000006
【図５】
2005200840.tif 000007
【図６】
2005200840.tif 000008
【図７】
2005200840.tif 000009
【図８】
2005200840.tif 000010
【図９】
2005200840.tif 000011
【図１０】
2005200840.tif 000012
【図１１】
2005200840.tif 000013